(57)【要約】【課題】発光部の周辺に発光部品を設けるのが困難な場合でも、ファッション性の高い電飾構造を設ける。【解決手段】正面側キャビネット３の背面側に収容された基板８に間隔をあけて一対のＬＥＤを設け、ＬＥＤからの光を一対の貫通孔を通して正面側キャビネット３の正面側へ導く導光部材１０を設ける。導光部材１０の正面側に、背面側が導光部材１０に導かれた光の通る窓部１６の周囲が遮光された光学カバー１５を設ける。導光部材１０に正面側キャビネット３の表面側に配置される導光部材本体１１と、その両端から伸びそれぞれ貫通孔から裏側へ挿通される一対の脚部とを設け、各脚部の端面からＬＥＤからの光をそれぞれ受光させる。【選択図】図１
2014003416.tif 000002
【特許請求の範囲】
【請求項１】
間隔をあけて設けられた少なくとも一対の発光部品を有する基板と、
背面側に上記基板を収容すると共に、上記発光部品からの光を正面側へ通す一対の貫通孔を備えた筐体と、
上記発光部品からの光を上記一対の貫通孔を通して上記筐体の正面側へ導く導光部材と、
透明又は半透明部材よりなり、上記導光部材の正面側に配置され、背面側が該導光部材に導かれた光の通る窓部の周囲が遮光されている光学カバーとを備え、
上記導光部材は、上記筐体の表面側に配置される導光部材本体と、該導光部材本体の両端から伸びそれぞれ上記貫通孔から裏側へ挿通される一対の脚部とを有し、
上記各脚部の端面から上記発光部品からの光をそれぞれ受光するように構成されていることを特徴とする携帯端末。
【請求項２】
請求項１に記載の携帯端末において、
上記導光部材本体は、正面視で凸部を有し、
上記筐体の正面側には、少なくとも上記導光部材本体が収容される本体収容部が凹陥され、該本体収容部には、上記凸部が嵌め込まれる凹部が形成され、
上記本体収容部に上記導光部材本体が収容された状態で上記筐体に取付可能に構成されている
ことを特徴とする携帯端末。
【請求項３】
請求項１又は２に記載の携帯端末において、
側面視で上記窓部の該導光部材側背面の傾斜角度は、筐体の正面に対して傾斜していることを特徴とする携帯端末。
【請求項４】
請求項３に記載の携帯端末において、
上記光学カバーは、正面側が上記表示部を覆う透明な保護カバーに覆われると共に、側面は、露出している
ことを特徴とする携帯端末。
【請求項５】
請求項１乃至４のいずれか１つに記載の携帯端末において、
上記基板の上記一対の脚部に対応する部分には、反射シートが設けられている
ことを特徴とする携帯端末。
【請求項６】
請求項５に記載の携帯端末において、
上記導光部材本体の背面側にも反射シートが貼り付けられている
ことを特徴とする携帯端末。
【請求項７】
請求項１乃至６のいずれか１つに記載の携帯端末において、
上記導光部材本体の正面側には、光を拡散して光量を抑制するための光量抑制シートが貼り付けられている
ことを特徴とする携帯端末。
【請求項８】
請求項１乃至７のいずれか１つに記載の携帯端末において、
上記光学カバーの遮光されている部分には、光を一部のみ通す半透過部が設けられることにより、窓部と半透過部とで光の強さに差を付けてグラデーション電飾可能に構成されている
ことを特徴とする携帯端末。
【発明の詳細な説明】
【技術分野】
【０００１】
本発明は、発光部品による電飾可能な携帯端末に関するものである。
【背景技術】
【０００２】
従来より、視認性、ファッション性等を重視した電飾可能な携帯電話機などの携帯端末は知られている。
【０００３】
例えば、特許文献１では、第１の筐体に光を放射する光源を収容し、光源からの光が照射される領域を所定の位置に制限する遮光部材を第１の筐体を構成するキャビネットに一体に設けている。
【０００４】
また、特許文献２では、単一の液晶表示器の発光素子からの照明光を互いに反対方向に導光して液晶表示器の本体部の両面を照光するための導光板を備えている。
【先行技術文献】
【特許文献】
【０００５】
【特許文献１】特開２０１１−１９９７９０号公報
【特許文献２】特開２００４−３７６２７号公報
【発明の概要】
【発明が解決しようとする課題】
【０００６】
しかしながら、特許文献１のような携帯端末では、１つの小さな開口窓部からの光に制限されるので、ファッション性に乏しい。
【０００７】
また、特許文献２のような携帯端末では、本体部の両面を照光できるものの、発光部を設ける位置にＵＳＢ接続端子や筺体同士を締結するボスが設けられている場合など光路確保のために狭いスペースにおいて他の部品との位置調整が困難であるという問題がある。
【０００８】
本発明は、かかる点に鑑みてなされたものであり、その目的とするところは、発光部の周辺に発光部品を設けるのが困難な場合でも、ファッション性の高い電飾構造を設けることにある。
【課題を解決するための手段】
【０００９】
上記の目的を達成するために、この発明では、一対の脚部を有する導光部材を設けた。
【００１０】
具体的には、第１の発明では、
間隔をあけて設けられた少なくとも一対の発光部品を有する基板と、
背面側に上記基板を収容すると共に、上記発光部品からの光を正面側へ通す一対の貫通孔を備えた筐体と、
上記発光部品からの光を上記一対の貫通孔を通して上記筐体の正面側へ導く導光部材と、
透明又は半透明部材よりなり、上記導光部材の正面側に配置され、背面側が該導光部材に導かれた光の通る窓部の周囲が遮光されている光学カバーとを備え、
上記導光部材は、上記筐体の表面側に配置される導光部材本体と、該導光部材本体の両端から伸びそれぞれ上記貫通孔から裏側へ挿通される一対の脚部とを有し、
上記各脚部の端面から上記発光部品からの光をそれぞれ受光するように構成されている。
【００１１】
上記の構成によると、一対の脚部を設けることで、導光部材本体の背面側に部品を配置しても導光部材本体に発光部品からの光を確実に導光することができる。このため、従来は配置が困難であった例えば、携帯端末の下端中央にＵＳＢ接続端子や筺体同士を締結するボスが設けられている場合などの狭いスペースに電飾部分を設けることができる。
【００１２】
第２の発明では、第１の発明において、
上記導光部材本体は、正面視で凸部を有し、
上記筐体の正面側には、少なくとも上記導光部材本体が収容される本体収容部が凹陥され、該本体収容部には、上記凸部が嵌め込まれる凹部が形成され、
上記本体収容部に上記導光部材本体が収容された状態で上記筐体に取付可能に構成されている。
【００１３】
上記の構成によると、簡単な構成で導光部材を筐体に取付できるので、組立が容易である。
【００１４】
第３の発明では、第１又は第２の発明において、
側面視で上記窓部の該導光部材側背面の傾斜角度は、筐体の正面に対して傾斜している。
【００１５】
すなわち、導光部材の背面に垂直な方向へ光が進むが、上記の構成によると、窓部の背面の傾斜面を調整することで、ユーザが最も見やすい方向に光が効果的に導かれる。
【００１６】
第４の発明では、第３の発明において、
上記光学カバーは、正面側が上記表示部を覆う透明な保護カバーに覆われると共に、側面は、露出している。
【００１７】
上記の構成によると、保護カバーにより光学カバーも保護されて固定されると共に、側面を露出させることで、導光部材の傾斜面に導光された光が側面にも効果的に導かれる。
【００１８】
第５の発明では、第１乃至第４のいずれか１つの発明において、
上記基板の上記一対の脚部に対応する部分には、反射シートが設けられている。
【００１９】
上記の構成によると、脚部において反射された光が導光部材本体側へ効果的に反射されて貫通孔へ送られる。
【００２０】
第６の発明では、第１乃至第５のいずれか１つの発明において、
上記導光部材本体の背面側にも反射シートが貼り付けられている。
【００２１】
上記の構成によると、簡単な構成により、貫通孔を通ってきた光を導光部材本体の背面側で反射して光量を上げることができる。
【００２２】
第７の発明では、第１乃至第６のいずれか１つの発明において、
上記導光部材本体の正面側には、光を拡散して光量を抑制するための光量抑制シートが貼り付けられている。
【００２３】
上記の構成によると、簡単な構成により光が強すぎてユーザに不快感を与えることを防止できる。
【００２４】
第８の発明では、第１乃至第７のいずれか１つの発明において、
上記光学カバーの遮光されている部分には、光を一部のみ通す半透過部が設けられることにより、窓部と半透過部とで光の強さに差を付けてグラデーション電飾可能に構成されている。
【００２５】
上記の構成によると、光学カバーにおいて窓部の周辺で光の透過性に差を設けることで、容易にグラデーション電飾が行われ、携帯端末の商品性をさらに向上させることができる。
【発明の効果】
【００２６】
以上説明したように、本発明によれば、筐体の表面側に配置される導光部材本体と、導光部材本体の両端から伸びそれぞれ貫通孔から裏側へ挿通される一対の脚部とを有する導光部材を設け、各脚部の端面から発光部品からの光をそれぞれ受光させることにより、発光部の周辺に発光部品を設けるのが困難な場合でも、ファッション性の高い電飾構造を設けることができる。
【図面の簡単な説明】
【００２７】
【図１】図２のＩ−Ｉ線拡大断面図である。
【図２】本発明の実施形態に係る携帯電話機を正面から見た斜視図である。
【図３】電飾部を含む正面側キャビネット示す分解斜視図である。
【図４】正面側キャビネットの分解正面図である。
【図５】光学カバーを外した電飾部及びその周辺を拡大して示す斜視図である。
【図６】導光部材本体及びその周辺を拡大して示す正面図である。
【図７】基板の裏面及びその周辺を拡大して示す斜視図である。
【図８】導光部材を拡大して示し、（ａ）が斜視図で、（ｂ）正面図で、（ｃ）背面図で、（ｄ）が平面図である。
【図９】光量抑制シートを示す斜視図である。
【図１０】第１反射シートを示す斜視図である。
【図１１】光学カバーを拡大して示し、（ａ）が正面側から見た斜視図であり、（ｂ）が背面側から見た斜視図である。
【図１２】導光部材、第２反射シート、ＵＳＢ端子及びその周辺を背面側から見た斜視図である。
【発明を実施するための形態】
【００２８】
以下、本発明の実施形態を図面に基づいて説明する。
【００２９】
図２は本発明の実施形態に係る携帯端末としての携帯電話機１を示し、この携帯電話機１は、正面側に液晶ディスプレイなどの表示部２が嵌められた、筐体としての正面側キャビネット３を有する。表示部２は、タッチパネルを含んでいてもよく、後述する保護カバー１９で正面側を覆われている。詳しくは図示しないが、この正面側キャビネット３の背面側は、背面側キャビネット（図示省略）に覆われている。
【００３０】
図３及び図４に示すように、この正面側キャビネット３は、中央にステンレス等の板金３ａがインサート成形され、その樹脂部分の下端中央にＵＳＢ接続端子用開口３ｂが設けられている。このＵＳＢ接続端子用開口３ｂの正面側に電飾部５が設けられている。
【００３１】
具体的には、図５及び図６にも示すように、ＵＳＢ接続端子用開口３ｂの正面側には、左右に伸びる本体収容部６が凹陥されている。本体収容部６の左右端部には、一対の貫通孔７が形成されている。図７に示すように、板金３ａの背面側には、基板８が設けられ、一対の貫通孔７の左右両側には、所定の間隔をあけて発光部品としてのＬＥＤ９がそれぞれ設けられている。そして、本体収容部６には、ＬＥＤ９からの光を一対の貫通孔７を通して正面側キャビネット３の正面側へ導く導光部材１０が収容されている。
【００３２】
図８に示すように、導光部材１０は、正面側キャビネット３の表面側に配置される導光部材本体１１と、導光部材本体１１の左右両端から伸び、それぞれ貫通孔７から裏側へ挿通される一対の脚部１２とを有する。そして、各脚部１２の端面からＬＥＤ９からの光をそれぞれ受光するように構成されている。なお、図７にも示すように、ＬＥＤ９の端面９ａと、対向する脚部１２の端面１２ａとは、平行なのが望ましいが、互いに多少傾斜していてもよい。
【００３３】
導光部材本体１１は、図１にも示すように、背面１１ａが保護カバー１９の表面に対して平行で正面１１ｂが背面１１ａに対して傾斜している。この傾斜角度は、ユーザが携帯電話機１を使用したときに目線に対して最も垂直になり安い角度に設定されている。図８に示すように、導光部材本体１１は、正面視では、中央に上方へ突出する凸部１１ｃを有し、凸部１１ｃの左右両側から上辺が左右へ直線状に伸びている。導光部材本体１１の下辺は、左右に直線状に延びた後、上方へ湾曲している。一方、図６に示すように、本体収容部６には、凸部１１ｃが嵌め込まれる凹部６ａが形成されている。本体収容部６の上辺は、凹部６ａから左右へ直線状に延びた後、上方へ傾斜している。なお、図８に示すように、凸部１１ｃの左右角部には、矩形状に切欠１１ｄが設けられているが、これは干渉防止等のための面取りであり、必ずしも設ける必要はない。
【００３４】
このように構成することで、一対の脚部１２をそれぞれ貫通孔７に通し、凸部１１ｃを凹部６ａに嵌め込むと、凸部１１ｃの上辺と対向する下辺とが、本体収容部６の凹部６ａの上辺と本体収容部６の下辺とで挟まれて上下方向の移動が規制され、凸部１１ｃの左辺と右辺とが、凹部６ａの左辺と右辺とで挟まれて左右方向の移動が規制されている。本体収容部６に導光部材本体１１が収容された状態で、厚さ方向でも一対の脚部１２が抜け止めとなり、導光部材１０が正面側キャビネット３に取付可能となっている。このため、組立が容易となっている。
【００３５】
また、導光部材本体１１を平面視で左右に伸びる矩形状の平板ではなく、凸部１１ｃや傾斜する辺を設けることで、ＬＥＤ９から導かれてきた光を上辺や下辺の内面で適度に光を反射させて光のムラをなくすようにしている。
【００３６】
図３及び図９に示すように、導光部材本体１１の正面側には、導光部材本体１１のほぼ全体を覆う光量抑制シート１８が貼り付けられている。光量抑制シート１８は、必ずしも設ける必要はないが、光を拡散して光量を抑制する役割を果たし、下端に貼付用ツマミ部１８ａが設けられている。光量抑制シート１８は、例えば、ＰＥＴ蒸着シートや積層構造のＰＥＴシートよりなり、適切な透過率や色を蒸着させるなどの加工によって、目的に応じたファッション性を与えることができる。
【００３７】
図３及び図１０に示すように、導光部材本体１１の背面１１ａには、導光部材本体１１に対応した形状の第１反射シート１３が貼り付けられている。第１反射シート１３の下端にも貼付用ツマミ部１３ａが設けられて貼り付けやすくなっている。
【００３８】
図１２に基板８の一部を拡大して示すように、基板８の背面の一対の脚部１２に対応する部分には、それぞれ第２反射シート１４が設けられている。第２反射シート１４は、例えば白色印刷よりなり、各脚部１２の接地面だけでなく、少なくとも貫通孔７まで至る脚部１２の背面側に印刷されている。
【００３９】
そして、図３に示すように、導光部材１０（正確には光量抑制シート１８）の正面側には、透明又は半透明部材よりなる光学カバー１５が配置されている。図１１にも示すように、光学カバー１５の背面側は、例えば黒色印刷により遮光処理がされ、三日月状の窓部１６の部分だけ黒色印刷が設けられていない。図１に示すように、側面視で窓部１６の背面の傾斜角度は、正面側キャビネット３の正面に対して傾斜している。具体的には、導光部材本体１１の正面１１ｂよりもさらに大きな角度（例えば、表示部の表面に対して４５°）で傾斜している。光学カバー１５は、両面テープ１７などで本体収容部６の周縁に固定されている。
【００４０】
そして、光学カバー１５は、正面側が表示部２を覆う透明ガラス等よりなる保護カバー１９に覆われている。そして、光学カバー１５の下面及び左右側面は、露出している。
【００４１】
次に、本実施形態に係る携帯電話機１の電飾部５の作動について説明する。
【００４２】
電飾部５は、携帯電話機１の機能に合わせて適宜点灯させればよく、色も変更可能に構成すればよい。場合によっては、左右のＬＥＤ９の色を変化させてもよい。
【００４３】
電飾部５を点灯させるには、基板８上の制御装置（図示せず）によりＬＥＤ９を点灯する。ＬＥＤ９からの光は、脚部１２の左右外側端面１２ａから導入される。
【００４４】
脚部１２に導入された光は、基板８に印刷した第２反射シート１４で反射されると共に、脚部１２の内面で反射されながら貫通孔７に導かれる。このように、一対の脚部１２を設けることで、導光部材本体１１の背面側にＵＳＢ端子２０（図１２にのみ示す）を配置しても導光部材本体１１にＬＥＤ９からの光を確実に導光することができる。このため、従来は配置が困難であった例えば、携帯電話機１の下端中央の狭いスペースに大きな電飾部５を設けることができる。
【００４５】
そして、左右の貫通孔７を通過した光は、導光部材本体１１に到達する。上述したように導光部材本体１１は、平面視で凹凸のある形状であるため、光が適度に反射され、また、背面１１ａに貼り付けられた第１反射シート１３により反射されながら、正面１１ｂに集まる。
【００４６】
導光部材１０の背面１１ａに垂直な方向へ光が進むが、窓部１６の背面の傾斜面が保護カバー１９に対して約４５°であるので、ユーザが最も見やすい方向に光が効果的に導かれる。また、光学カバー１５の下面が露出しているので、導光部材１０に導光された光が窓部１６の傾斜面により携帯電話機１の下方にも効果的に導かれる。
【００４７】
また、導光部材本体１１の正面は、光量抑制シート１８で覆われているので、光が強すぎてユーザに不快感を与えることはない。
【００４８】
したがって、本実施形態に係る携帯端末によると、正面側キャビネット３の表面側に配置される導光部材本体１１と、導光部材本体１１の両端から伸びそれぞれ貫通孔７から裏側へ挿通される一対の脚部１２とを有する導光部材１０を設け、各脚部１２の端面１２ａからＬＥＤ９からの光をそれぞれ受光するようにしたことにより、導光部材本体１１の間近にＬＥＤ９を設けるのが困難な場合でも、ファッション性の高い電飾部５を設けることができる。
【００４９】
（その他の実施形態）
本発明は、上記実施形態について、以下のような構成としてもよい。
【００５０】
すなわち、光学カバー１５の遮光されている部分、例えば、図１１（ｂ）にハッチングで示すように、三日月状の窓部１６の上側に光を一部のみ通す半透過部２１を設けてもよい。この半透過部２１は、例えば、黒色印刷部分にレーザ加工で小さな孔をあけて光を一部通すようにしたり、黒色よりも薄い色を印刷したりすればよい。このように構成することにより、窓部１６と半透過部２１とで光の強さに差を付けてグラデーション電飾可能に構成するとよい。このように、光学カバー１５において光の透過性に差を設けることで、容易にグラデーション電飾が行われ、携帯電話機１の商品性をさらに向上させることができる。
【００５１】
上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００５２】
なお、以上の実施形態は、本質的に好ましい例示であって、本発明、その適用物や用途の範囲を制限することを意図するものではない。
【産業上の利用可能性】
【００５３】
以上説明したように、本発明は、ＬＥＤなどの発光部品による電飾可能な携帯端末について有用である。
【符号の説明】
【００５４】
１      携帯電話機（携帯端末）
２      表示部
３      正面側キャビネット（筐体）
３ａ    板金
３ｂ    ＵＳＢ接続端子用開口
５      電飾部
６      本体収容部
６ａ    凹部
７      貫通孔
８      基板
９      ＬＥＤ（発光部品）
９ａ    端面
１０      導光部材
１１      導光部材本体
１１ａ    背面
１１ｂ    正面
１１ｃ    凸部
１１ｄ    切欠
１２      脚部
１２ａ    端面
１３      第１反射シート
１３ａ    貼付用ツマミ部
１４      第２反射シート
１５      光学カバー
１６      窓部
１７      両面テープ
１８      光量抑制シート
１９      保護カバー
２０      ＵＳＢ端子
【図１】
2014003416.tif 000003
【図３】
2014003416.tif 000004
【図４】
2014003416.tif 000005
【図５】
2014003416.tif 000006
【図６】
2014003416.tif 000007
【図７】
2014003416.tif 000008
【図８】
2014003416.tif 000009
【図９】
2014003416.tif 000010
【図１０】
2014003416.tif 000011
【図１１】
2014003416.tif 000012
【図１２】
2014003416.tif 000013
【図２】
2014003416.tif 000014